(57)【要約】【課題】  ディスク装置とディスク装置制御基板とが並列配置された電子装置において、可動部であるピックアップ部と接続されたフレキシブルフラットケーブルが、装置内の他の部材に接触することによって生じる不具合や、フレキシブルフラットケーブルの接続部に負荷がかかることを低減させたディスク装置を内蔵した電子装置の提供。【解決手段】  ピックアップ部１１ａの移動距離を吸収するためのたるみ部２３ａが備えられたＦＦＣ２３において、たるみ部２３ａには、それぞれの湾曲方向が逆の方向に曲げられた折曲げ部２３ｂと折曲げ部２３ｃを設け、当該折曲げ部２３ｂにおいてＬ字状の係止具４０によって係止することで、接続部１２ａに、ピックアップ部１１ａの摺動による影響（接続部付近でＦＦＣが動くことによる負荷）が及ばないようにする。【選択図】  図５
2006031910.tif 000002
【特許請求の範囲】
【請求項１】
ディスク媒体から信号の読込み若しくは書込み又は読書きを行うディスク装置と、前記ディスク装置の制御・駆動及び前記ディスク装置から入出力される信号の制御を行うディスク装置制御基板とが並列配置され、前記ディスク装置に備えられる前記ディスク媒体から信号の読込み若しくは書込み又は読書きを行うために当該ディスク媒体の半径方向に往復移動するピックアップ部と前記ディスク装置制御基板とを電気的に接続するフレキシブルフラットケーブルを備える電子装置であって、前記ピックアップ部と前記ディスク装置制御基板との間に前記ピックアップ部が往復移動する距離を吸収するために前記フレキシブルフラットケーブルに設けられるたるみ部に２箇所以上の折曲げ部を設けたことを特徴とするディスク装置を内蔵した電子装置。
【請求項２】
ディスク媒体から信号の読込み若しくは書込み又は読書きを行うディスク装置と、前記ディスク装置の制御・駆動及び前記ディスク装置から入出力される信号の制御を行うディスク装置制御基板とが並列配置され、前記ディスク装置に備えられる前記ディスク媒体から信号の読込み若しくは書込み又は読書きを行うために当該ディスク媒体の半径方向に往復移動するピックアップ部と前記ディスク装置制御基板とを電気的に接続するフレキシブルフラットケーブルを備える電子装置であって、前記ピックアップ部と前記ディスク装置制御基板との間に前記ピックアップ部が往復移動する距離を吸収するために前記フレキシブルフラットケーブルにたるみ部を設け、前記ディスク装置制御基板と前記フレキシブルフラットケーブルの接続点との間に当該フレキシブルフラットケーブルのたるみ部の形状を保持する係止保持部を設けたことを特徴とするディスク装置を内蔵した電子装置。
【請求項３】
前記フレキシブルフラットケーブルのたるみ部に折曲げ部を設け、該折曲げ部はその湾曲方向を逆にして、前記フレキシブルフラットケーブルが略Ｓ字状となるようにしたことを特徴とする請求項１又は請求項２記載のディスク装置を内蔵した電子装置。
【請求項４】
前記フレキシブルフラットケーブルのたるみ部に折曲げ部を設け、該折曲げ部はその湾曲方向を同一にして前記フレキシブルフラットケーブルが略らせん状となるようにしたことを特徴とする請求項１又は請求項２記載のディスク装置を内蔵した電子装置。
【請求項５】
前記フレキシブルフラットケーブルのたるみ部の形状を保持する係止保持部を、Ｌ字状の係止具によって形成したことを特徴とする請求項１乃至請求項４の何れか１つに記載のディスク装置を内蔵した電子装置。
【請求項６】
前記フレキシブルフラットケーブルのたるみ部の形状を保持する係止保持部を、前記ディスク装置の外枠を形成するフレームの側面に設けたスリットに前記フレキシブルフラットケーブルを通す構成によって形成したことを特徴とする請求項１乃至請求項４の何れか１つに記載のディスク装置を内蔵した電子装置。
【請求項７】
前記フレキシブルフラットケーブルのたるみ部の形状を保持する係止保持部を、前記ディスク装置の外枠を形成するフレームの側面に設けたフックによって形成したことを特徴とする請求項１乃至請求項４の何れか１つに記載のディスク装置を内蔵した電子装置。
【請求項８】
前記係止保持部によって保持された前記フレキシブルフラットケーブルが、前記ディスク装置を内蔵した電子装置の筐体を構成するキャビネットの内壁面と、前記ディスク装置の外枠を形成するフレーム側面端部と、の間に配設されるように構成された請求項２乃至請求項５の何れか１つに記載のディスク装置を内蔵した電子装置であって、前記係止保持部には前記ディスク装置の外枠を形成するフレーム側面端部と対向する部分に、高さが少なくとも前記フレキシブルフラットケーブルの厚みよりも高くなる凸部を形成したことを特徴とするディスク装置を内蔵した電子装置。
【請求項９】
前記係止保持部によって保持された前記フレキシブルフラットケーブルが、前記ディスク装置を内蔵した電子装置の筐体を構成するキャビネットの内壁面と、前記ディスク装置の外枠を形成するフレーム側面端部と、の間に配設されるように構成された請求項２乃至請求項５の何れか１つに記載のディスク装置を内蔵した電子装置であって、前記ディスク装置の外枠を形成するフレーム側面端部には前記係止保持部と対向する部分に、高さが少なくとも前記フレキシブルフラットケーブルの厚みよりも高くなる凸部を形成したことを特徴とするディスク装置を内蔵した電子装置。
【請求項１０】
前記係止保持部によって保持された前記フレキシブルフラットケーブルが、前記ディスク装置を内蔵した電子装置の筐体を構成するキャビネットの内壁面と、前記ディスク装置の外枠を形成するフレーム側面端部と、の間に配設されるように構成された請求項２乃至請求項５の何れか１つに記載のディスク装置を内蔵した電子装置であって、前記係止保持部には前記キャビネットの内壁面と対向する側に、高さが少なくとも前記フレキシブルフラットケーブルの厚みよりも高くなる凸部を形成したことを特徴とするディスク装置を内蔵した電子装置。
【請求項１１】
前記フレキシブルフラットケーブルが、前記ディスク装置を内蔵した電子装置の筐体を構成するキャビネットの内壁面と、前記ディスク装置の外枠を形成するフレーム側面端部と、の間に配設されるように構成された請求項１乃至請求項７の何れか１つに記載のディスク装置を内蔵した電子装置であって、前記ディスク装置の外枠を形成するフレーム側面端部に、高さが少なくとも、前記キャビネットの内壁面と前記フレーム側面端部との間に配設される前記フレキシブルフラットケーブルの厚み若しくは前記フレキシブルフラットケーブル及び前記係止保持部の厚みよりも高くなる凸部を形成したことを特徴とするディスク装置を内蔵した電子装置。
【請求項１２】
前記フレキシブルフラットケーブルが、前記ディスク装置を内蔵した電子装置の筐体を構成するキャビネットの内壁面と、前記ディスク装置の外枠を形成するフレーム側面端部と、の間に配設されるように構成された請求項１乃至請求項７の何れか１つに記載のディスク装置を内蔵した電子装置であって、前記キャビネットの内壁面には前記ディスク装置の外枠を形成するフレーム側面端部と対向する部分に、高さが少なくとも、前記キャビネットの内壁面と前記フレーム側面端部との間に配設される前記フレキシブルフラットケーブルの厚み若しくは前記フレキシブルフラットケーブル及び前記係止保持部の厚みよりも高くなる凸部を形成したことを特徴とするディスク装置を内蔵した電子装置。
【発明の詳細な説明】
【技術分野】
【０００１】
本発明は、ディスク装置を内蔵した電子装置に関するものであり、特に、ディスク装置内の可動部に備えられた基板とディスク装置制御基板との間を電気的に接続するフレキシブルフラットケーブルの取回しを考慮した電子装置に関する。
【背景技術】
【０００２】
近年、ディスク装置は、ユーザーの種々のニーズに対応して、DVDプレーヤやCDプレーヤ等に限られず、テレビジョン受像機本体にも内蔵されるなど、その使用範囲は広範囲に及んでいると共にこれらの電子装置等は年々小型化や薄型化が進んでいる。
【０００３】
ディスク装置には、ディスク媒体から信号の読込み若しくは書込み又は読書きを行うために当該ディスク媒体の半径方向に往復移動するピックアップ部が備えられており、当該ピックアップ部からの信号を制御基板等に伝達するためにフレキシブルフラットケーブルなどの線材によってピックアップ部と制御基板等とが電気的に接続されている。当該フレキシブルフラットケーブルは、ピックアップ部の往復移動に追従して移動することとなるが、前記したごとく、電子装置の小型化や薄型化が進んでいるため、装置内でフレキシブルフラットケーブルが動くと装置内の他の部品等への接触を起こし易く、これによってピックアップ部の移動が阻害されるという問題や、フレキシブルフラットケーブル自体を損傷するという問題があった。
【０００４】
上記したような、可動部分との接続がなされたフレキシブルフラットケーブルの取り回しに関する従来技術が特許文献１〜特許文献３などによって開示されている。
【０００５】
【特許文献１】特開２００１−２８３４９７号公報
【特許文献２】特開２００２−３２４３８９号公報
【特許文献３】特開２００３−１０００３６号公報
【発明の開示】
【発明が解決しようとする課題】
【０００６】
図１７は、ディスク装置１１とディスク装置制御基板１２とが並列配置されている従来の電子装置（ＤＶＤ内蔵ＬＣＤ）の概略を示す図であり、ａはキャビネットを外した状態の背面斜視図、ｂ及びｃはフレキシブルフラットケーブルの取回し状態を説明するための概略図であり図ａのＡ−Ａ線から見た矢視図である。フレキシブルフラットケーブル１２０は、一端をディスク媒体２０の半径方向に往復移動するピックアップ部１１ａに接続され、他端を装置本体に固定されるディスク装置制御基板１２に接続されるため、少なくともピックアップ部１１ａとディスク装置制御基板１２の相対距離が最も離れた状態（図１７ｂ）の長さを有している必要があり、ピックアップ部１１ａとディスク装置制御基板１２とが最も接近した状態（図１７ｃ）では、ケーブルの余剰部分（たるみ部）がたるむ（キャビネット方向へ膨出する）こととなる。ＬＣＤのように装置の薄型化が図られた装置内では、空間的な余裕がないため、図１７ｂ・ｃに示されるように、フレキシブルフラットケーブルを単にたるませていたものでは、往復移動を行うピックアップ部１１ａがディスク装置制御基板１２と接近した状態において、フレキシブルフラットケーブル１２０のたるみ部分がキャビネット１７ｂに接触し、これによって、フレキシブルフラットケーブル１２０とディスク装置制御基板１２との接続部１２ａ付近に負荷（曲げモーメント）がかかり、接続部１２ａに不具合を起こす憂いがあった。また、ピックアップ部１１ａの往復移動に伴い、フレキシブルフラットケーブル１２０がキャビネット１７ｂに擦れながら接触するため、フレキシブルフラットケーブル１２０の被覆を傷つけるおそれがあり、且つ、ピックアップ部１１ａの移動を阻害するおそれがあるものであった。
【０００７】
本発明は、上記した問題に鑑み、ディスク装置とディスク装置制御基板とが並列配置された電子装置において、可動部であるピックアップ部と接続されたフレキシブルフラットケーブルが装置内の他の部材に接触することによって生じる不具合や、フレキシブルフラットケーブルの接続部に負荷がかかることを低減させた、ディスク装置を内蔵した電子装置を提供することを目的とする。
【課題を解決するための手段】
【０００８】
請求項１のディスク装置を内蔵した電子装置は、ディスク媒体から信号の読込み若しくは書込み又は読書きを行うディスク装置と、前記ディスク装置の制御・駆動及び前記ディスク装置から入出力される信号の制御を行うディスク装置制御基板とが並列配置され、前記ディスク装置に備えられる前記ディスク媒体から信号の読込み若しくは書込み又は読書きを行うために当該ディスク媒体の半径方向に往復移動するピックアップ部と前記ディスク装置制御基板とを電気的に接続するフレキシブルフラットケーブルを備える電子装置であって、前記ピックアップ部と前記ディスク装置制御基板との間に前記ピックアップ部が往復移動する距離を吸収するために前記フレキシブルフラットケーブルに設けられるたるみ部に、２箇所以上の折曲げ部を設けたことを特徴とする。
【０００９】
上記構成によれば、ピックアップ部の往復移動に追従してフレキシブルフラットケーブルのピックアップ部に接続された側が移動することによって生じるフレキシブルフラットケーブルのたるみ部の動きが、当該たるみ部に設けられた２箇所以上の折曲げ部の屈曲動作などによって吸収される。
【００１０】
請求項２のディスク装置を内蔵した電子装置は、ディスク媒体から信号の読込み若しくは書込み又は読書きを行うディスク装置と、前記ディスク装置の制御・駆動及び前記ディスク装置から入出力される信号の制御を行うディスク装置制御基板とが並列配置され、前記ディスク装置に備えられる前記ディスク媒体から信号の読込み若しくは書込み又は読書きを行うために当該ディスク媒体の半径方向に往復移動するピックアップ部と前記ディスク装置制御基板とを電気的に接続するフレキシブルフラットケーブルを備える電子装置であって、前記ピックアップ部と前記ディスク装置制御基板との間に、前記ピックアップ部が往復移動する距離を吸収するために前記フレキシブルフラットケーブルにたるみ部を設け、前記ディスク装置制御基板と前記フレキシブルフラットケーブルの接続点との間に当該フレキシブルフラットケーブルのたるみ部の形状を保持する係止保持部を設けたことを特徴とする。
【００１１】
上記構成によれば、ピックアップ部の往復移動に追従してフレキシブルフラットケーブル（ピックアップ部に接続された側）が移動することによって生じるフレキシブルフラットケーブルのたるみ部の動きが係止保持部によって吸収される。
【００１２】
請求項３のディスク装置を内蔵した電子装置は、請求項１又は請求項２記載のディスク装置を内蔵した電子装置であって、前記フレキシブルフラットケーブルのたるみ部に折曲げ部を設け、該折曲げ部はその湾曲方向を逆にして、前記フレキシブルフラットケーブルが略Ｓ字状となるようにしたことを特徴とする。
【００１３】
請求項４のディスク装置を内蔵した電子装置は、請求項１又は請求項２記載のディスク装置を内蔵した電子装置であって、前記フレキシブルフラットケーブルのたるみ部に折曲げ部を設け、該折曲げ部はその湾曲方向を同一にして前記フレキシブルフラットケーブルが略らせん状となるようにしたことを特徴とする。
【００１４】
請求項５のディスク装置を内蔵した電子装置は、請求項１乃至請求項４の何れか１つに記載のディスク装置を内蔵した電子装置であって、前記フレキシブルフラットケーブルのたるみ部の形状を保持する係止保持部を、Ｌ字状の係止具によって形成したことを特徴とする。
【００１５】
請求項６のディスク装置を内蔵した電子装置は、請求項１乃至請求項４の何れか１つに記載のディスク装置を内蔵した電子装置であって、前記フレキシブルフラットケーブルのたるみ部の形状を保持する係止保持部を、前記ディスク装置の外枠を形成するフレームの側面に設けたスリットに前記フレキシブルフラットケーブルを通す構成によって形成したことを特徴とする。
【００１６】
請求項７のディスク装置を内蔵した電子装置は、請求項１乃至請求項４の何れか１つに記載のディスク装置を内蔵した電子装置であって、前記フレキシブルフラットケーブルのたるみ部の形状を保持する係止保持部を、前記ディスク装置の外枠を形成するフレームの側面に設けたフックによって形成したことを特徴とする。
【００１７】
請求項８のディスク装置を内蔵した電子装置は、前記係止保持部によって保持された前記フレキシブルフラットケーブルが、前記ディスク装置を内蔵した電子装置の筐体を構成するキャビネットの内壁面と、前記ディスク装置の外枠を形成するフレーム側面端部と、の間に配設されるように構成された請求項２乃至請求項５の何れか１つに記載のディスク装置を内蔵した電子装置であって、前記係止保持部には前記ディスク装置の外枠を形成するフレーム側面端部と対向する部分に、高さが少なくとも前記フレキシブルフラットケーブルの厚みよりも高くなる凸部を形成したことを特徴とする。
【００１８】
上記構成によれば、係止保持部にはディスク装置の外枠を形成するフレーム側面端部と対向する部分に、高さが少なくともフレキシブルフラットケーブルの厚みよりも高くなる凸部が形成される。従って、電子装置の外部から筐体に荷重がかけられることで、筐体を構成するキャビネットが装置の内部方向に撓むことにより、キャビネットの内壁面側が係止保持部と接触し、さらに係止保持部がフレーム側面端部に接触する方向に撓んだ場合であっても、係止保持部に形成された凸部とフレーム側面端部とが当接するため、フレキシブルフラットケーブルが係止保持部とフレーム側面端部との間で挟まれることがない。
【００１９】
請求項９のディスク装置を内蔵した電子装置は、前記係止保持部によって保持された前記フレキシブルフラットケーブルが、前記ディスク装置を内蔵した電子装置の筐体を構成するキャビネットの内壁面と、前記ディスク装置の外枠を形成するフレーム側面端部と、の間に配設されるように構成された請求項２乃至請求項５の何れか１つに記載のディスク装置を内蔵した電子装置であって、前記ディスク装置の外枠を形成するフレーム側面端部には前記係止保持部と対向する部分に、高さが少なくとも前記フレキシブルフラットケーブルの厚みよりも高くなる凸部を形成したことを特徴とする。
【００２０】
上記構成によれば、ディスク装置の外枠を形成するフレーム側面端部には係止保持部と対向する部分に、高さが少なくともフレキシブルフラットケーブルの厚みよりも高くなる凸部が形成される。従って、電子装置の外部から筐体に荷重がかけられることで、筐体を構成するキャビネットが装置の内部方向に撓むことにより、キャビネットの内壁面側が係止保持部と接触し、さらに係止保持部がフレーム側面端部に接触する方向に撓んだ場合であっても、フレーム側面端部に形成された凸部と係止保持部とが当接するため、フレキシブルフラットケーブルが係止保持部とフレーム側面端部との間で挟まれることがない。
【００２１】
請求項１０のディスク装置を内蔵した電子装置は、前記係止保持部によって保持された前記フレキシブルフラットケーブルが、前記ディスク装置を内蔵した電子装置の筐体を構成するキャビネットの内壁面と、前記ディスク装置の外枠を形成するフレーム側面端部と、の間に配設されるように構成された請求項２乃至請求項５の何れか１つに記載のディスク装置を内蔵した電子装置であって、前記係止保持部には前記キャビネットの内壁面と対向する側に、高さが少なくとも前記フレキシブルフラットケーブルの厚みよりも高くなる凸部を形成したことを特徴とする。
【００２２】
上記構成によれば、係止保持部にはキャビネットの内壁面と対向する側に、高さが少なくともフレキシブルフラットケーブルの厚みよりも高くなる凸部が形成される。従って、電子装置の外部から筐体に荷重がかけられることで、筐体を構成するキャビネットが装置の内部方向に撓むことにより、キャビネットの内壁面側が係止保持部と接触する方向に撓んだ場合であっても、係止保持部に形成された凸部とキャビネットの内壁面側とが当接するため、フレキシブルフラットケーブルが係止保持部とキャビネットの内壁面側との間で挟まれることがない。
【００２３】
請求項１１のディスク装置を内蔵した電子装置は、前記フレキシブルフラットケーブルが、前記ディスク装置を内蔵した電子装置の筐体を構成するキャビネットの内壁面と、前記ディスク装置の外枠を形成するフレーム側面端部と、の間に配設されるように構成された請求項１乃至請求項７の何れか１つに記載のディスク装置を内蔵した電子装置であって、前記ディスク装置の外枠を形成するフレーム側面端部には高さが少なくとも、前記キャビネットの内壁面と前記フレーム側面端部との間に配設される前記フレキシブルフラットケーブルの厚み若しくは前記フレキシブルフラットケーブル及び前記係止保持部の厚みよりも高くなる凸部を形成したことを特徴とする。
【００２４】
上記構成によれば、ディスク装置の外枠を形成するフレーム側面端部に、高さが少なくともキャビネットの内壁面とフレーム側面端部との間に配設されるフレキシブルフラットケーブルの厚み若しくはフレキシブルフラットケーブル及び係止保持部の厚みよりも高くなる凸部が形成される。従って、電子装置の外部から筐体に荷重がかけられることで、筐体を構成するキャビネットが装置の内部方向に撓むことにより、キャビネットの内壁面側が係止保持部と接触する方向に撓んだ場合であっても、フレーム側面端部に形成された凸部とキャビネットの内壁面側とが当接するため、フレキシブルフラットケーブルが、係止保持部とフレーム側面端部との間で若しくは係止保持部とキャビネットの内壁面側との間で挟まれることがない。
【００２５】
請求項１２のディスク装置を内蔵した電子装置は、前記フレキシブルフラットケーブルが、前記ディスク装置を内蔵した電子装置の筐体を構成するキャビネットの内壁面と、前記ディスク装置の外枠を形成するフレーム側面端部と、の間に配設されるように構成された請求項１乃至請求項７の何れか１つに記載のディスク装置を内蔵した電子装置であって、前記キャビネットの内壁面には前記ディスク装置の外枠を形成するフレーム側面端部と対向する部分に、高さが少なくとも、前記キャビネットの内壁面と前記フレーム側面端部との間に配設される前記フレキシブルフラットケーブルの厚み若しくは前記フレキシブルフラットケーブル及び前記係止保持部の厚みよりも高くなる凸部を形成したことを特徴とする。
【００２６】
上記構成によれば、キャビネットの内壁面には前記ディスク装置の外枠を形成するフレーム側面端部と対向する部分に、高さが少なくともキャビネットの内壁面とフレーム側面端部との間に配設されるフレキシブルフラットケーブルの厚み若しくはフレキシブルフラットケーブル及び係止保持部の厚みよりも高くなる凸部が形成される。従って、電子装置の外部から筐体に荷重がかけられることで、筐体を構成するキャビネットが装置の内部方向に撓むことにより、キャビネットの内壁面側が係止保持部と接触する方向に撓んだ場合であっても、キャビネットの内壁面に形成された凸部とフレーム側面端部とが当接するため、フレキシブルフラットケーブルが、係止保持部とフレーム側面端部との間で若しくは係止保持部とキャビネットの内壁面側との間で挟まれることがない。
【発明の効果】
【００２７】
本発明の請求項１の、ディスク媒体から信号の読込み若しくは書込み又は読書きを行うディスク装置と、前記ディスク装置の制御・駆動及び前記ディスク装置から入出力される信号の制御を行うディスク装置制御基板とが並列配置され、前記ディスク装置に備えられる前記ディスク媒体から信号の読込み若しくは書込み又は読書きを行うために当該ディスク媒体の半径方向に往復移動するピックアップ部と前記ディスク装置制御基板とを電気的に接続するフレキシブルフラットケーブルを備える電子装置であって、前記ピックアップ部と前記ディスク装置制御基板との間に前記ピックアップ部が往復移動する距離を吸収するために前記フレキシブルフラットケーブルに設けられるたるみ部に、２箇所以上の折曲げ部を設けたことを特徴とするディスク装置を内蔵した電子装置によれば、ピックアップ部の往復移動によって生じるフレキシブルフラットケーブルのたるみ部の動きが、フレキシブルフラットケーブルに設けられる２箇所以上の折曲げ部の屈曲動作などによって吸収されるため、ディスク装置制御基板とフレキシブルフラットケーブルの接続部分には、当該フレキシブルフラットケーブルのたるみ部の動きが伝わり難い。従って、ディスク装置制御基板とフレキシブルフラットケーブルの接続部分に負荷がかかることが抑制される。
【００２８】
本発明の請求項２の、ディスク媒体から信号の読込み若しくは書込み又は読書きを行うディスク装置と、前記ディスク装置の制御・駆動及び前記ディスク装置から入出力される信号の制御を行うディスク装置制御基板とが並列配置され、前記ディスク装置に備えられる前記ディスク媒体から信号の読込み若しくは書込み又は読書きを行うために当該ディスク媒体の半径方向に往復移動するピックアップ部と前記ディスク装置制御基板とを電気的に接続するフレキシブルフラットケーブルを備える電子装置であって、前記ピックアップ部と前記ディスク装置制御基板との間に前記ピックアップ部が往復移動する距離を吸収するために前記フレキシブルフラットケーブルにたるみ部を設け、前記ディスク装置制御基板と前記フレキシブルフラットケーブルの接続点との間に当該フレキシブルフラットケーブルのたるみ部の形状を保持する係止保持部を設けたことを特徴とするディスク装置を内蔵した電子装置によれば、ピックアップ部の往復移動に追従して生じるフレキシブルフラットケーブルのたるみ部の動きが、係止保持部によって吸収され、ディスク装置制御基板とフレキシブルフラットケーブルの接続部分に負荷がかかることが抑制される。
【００２９】
本発明の請求項８の、前記係止保持部によって保持された前記フレキシブルフラットケーブルが、前記ディスク装置を内蔵した電子装置の筐体を構成するキャビネットの内壁面と、前記ディスク装置の外枠を形成するフレーム側面端部と、の間に配設されるように構成された請求項２乃至請求項５の何れか１つに記載のディスク装置を内蔵した電子装置であって、前記係止保持部には前記ディスク装置の外枠を形成するフレーム側面端部と対向する部分に、高さが少なくとも前記フレキシブルフラットケーブルの厚みよりも高くなる凸部を形成したことを特徴とするディスク装置を内蔵した電子装置によれば、電子装置の外部から筐体に荷重がかけられることで、筐体を構成するキャビネットが装置の内部方向に撓むことにより、キャビネットの内壁面側が係止保持部と接触し、さらに係止保持部がフレーム側面端部に接触する方向に撓んだ場合であっても、係止保持部に形成された凸部とフレーム側面端部とが当接するため、フレキシブルフラットケーブルが係止保持部とフレーム側面端部との間で挟まれることがない。従って、係止保持部とフレーム側面端部との間でフレキシブルフラットケーブルが挟まれることにより生じるピックアップ部の動作に悪影響を与えるといった問題や、フレキシブルフラットケーブルと接続される各部材に負荷を与えるといった問題や、フレキシブルフラットケーブル自体が傷つけられるといった問題を防止することができる。
【発明を実施するための最良の形態】
【００３０】
以下、本発明の具体的実施例について、図面を参照しながら説明する。なお、以下の実施態様は、本発明を具体化する際の一形態であって、本発明をその範囲内に限定するためのものではない。
【実施例１】
【００３１】
図１は本実施例のディスク装置を内蔵した液晶表示装置の斜視図であり、図２は同液晶表示装置のバックキャビネットを取り外した状態を示す斜視図、図３は同背面図である。
【００３２】
本実施例のディスク装置を内蔵した液晶表示装置１０（以下単にＬＣＤ１０）は、図１〜図３に示されるように、ディスク装置１１、ディスク装置制御基板１２、ＬＣＤモジュール（図示せず）、メイン制御基板１４、シャーシ１５、スピーカー１６等を筐体１７の内部に備える。筐体１７はフロントキャビネット１７ａとバックキャビネット１７ｂとによって構成される。図２及び図３に示されるように、ディスク装置１１とディスク装置制御基板１２とは並列して配置され、ディスク装置１１に備えられるピックアップ部１１ａからの信号をディスク装置制御基板１２に伝達するためのフレキシブルフラットケーブル（以下単にＦＦＣ）２３が、ディスク装置１１のフレームの側面部１１ｂに設けられたスリット１１ｂ１を介してピックアップ部１１ａ及びディスク装置制御基板１２に接続される。ディスク装置１１は概ね樹脂製のフレームによって外枠を構成される。
【００３３】
ディスク装置１１は、光ディスク媒体２０の半径方向に往復移動するピックアップ部１１ａなどを備えることにより、光ディスク媒体２０からの信号の読込み若しくは書込み又は読書きを行うものであり、ディスク装置制御基板１２は、ディスク装置１１に備えられる駆動モータ等の制御又はピックアップ部１１ａから入出力される信号の制御などを行う基板である。ＬＣＤモジュールは、表示装置である液晶パネル１３及び当該液晶パネルを制御・駆動する液晶パネル駆動回路、光源であるバックライト及び当該バックライトを制御・駆動するインバータ回路などを備えるものであり、メイン制御基板１４は、ＬＣＤモジュールの制御及び映像・音声の信号の処理・制御等を行うものである。なお、メイン制御基板１４及びディスク装置制御基板１２は図では簡単化しているが、構造的には回路パターンが印刷されたプリント基板上に種々の電気・電子部品などが実装されたものである。
【００３４】
図４はＦＦＣ２３の形状を保持するためにディスク装置制御基板１２に備えられる係止具を示す図であり、ａは係止具４０の側面図、ｂは正面図、ｃは上面図を示す。ｄは係止具４０の斜視図であり、ディスク装置制御基板１２に取付ける状態を示す図である。図に示されるように、係止具４０は、ディスク装置制御基板１２をシャーシ１５に取付けるためのネジを利用してディスク装置制御基板１２と共に固定される。図５は、係止具４０を備えたディスク装置制御基板１２とピックアップ部１１ａとを接続するＦＦＣ２３の取り回しを説明するための概略図であり図２のＢ−Ｂ線から見た矢視図である。図５ａはディスク装置制御基板１２とピックアップ部１１ａとが最接近した状態の概略図、図５ｂは最も離れた状態の概略図である。図５に示されるように、ＦＦＣ２３にはピックアップ部１１ａの移動距離を吸収するためのたるみ部２３ａが備えられており、且つ、たるみ部２３ａには、それぞれの湾曲方向が逆の方向に曲げられた折曲げ部２３ｂと折曲げ部２３ｃとが設けられ、ＦＦＣ２３は略Ｓ字状となる。ＦＦＣ２３は折曲げ部２３ｂにおいてＬ字状の係止具４０によって係止される。
【００３５】
本発明のＬＣＤ１０によれば、図５に示されるように、ピックアップ部１１ａの往復移動によって生じるＦＦＣ２３のたるみ部２３ａの動きが係止具４０及び折曲げ部２３ｂと折曲げ部２３ｃとによって吸収されるため、接続部１２ａにまでピックアップ部１１ａの動きの影響が伝わることが大幅に低減される。従って、従来例で見られたような（図１７ｂ・ｃ）、ピックアップ部が移動することにより接続部１２ａに負荷がかかり、これが繰り返されることにより接続部１２ａに不具合（電気的接続の切断など）を起こすといった危険性が大幅に低減される。また、係止具４０によって形状が保持される折曲げ部２３ｂから接続部１２ａまでの間ではケーブルの動きがほとんど無いため、バックキャビネット１７ｂにＦＦＣ２３が接触しながら移動する（擦れる）ということがなく、従って、ＦＦＣ２３の被覆が傷つくということも無い。さらに、ＦＦＣ２３の動きがある部分（主に折曲げ部２３ｃ付近）はディスク装置１１のフレームの側面部１１ｂと係止具４０との間の空間内に移動範囲が限定されるため、ＦＦＣ２３が装置内の他の部材に引っかかるという不具合も防止される。
【実施例２】
【００３６】
図６は本実施例のディスク装置を内蔵した液晶表示装置のバックキャビネットを取り外した状態を示す斜視図、図７は、ディスク装置制御基板とディスク装置に備えられるピックアップ部とを接続するＦＦＣの取り回しを説明するための概略図であり、図６のＣ−Ｃ線から見た矢視図である。図７ａはディスク装置制御基板とピックアップ部とが最接近した状態の概略図、図７ｂは最も離れた状態の概略図である。なお、実施例１と同様の構成要素については実施例１と同一の符号を使用し、ここでの説明を省略する。
【００３７】
図６及び図７に示されるように、ＦＦＣ７３にはピックアップ部１１ａの移動距離を吸収するためのたるみ部７３ａが備えられており、且つ、たるみ部７３ａには、それぞれの湾曲方向が同一の方向に曲げられた折曲げ部７３ｂと折曲げ部７３ｃとが設けられることにより、ＦＦＣ７３は略らせん状となる（図においては、折曲げ部７３ｂと折曲げ部７３ｃとの曲率を異なるものとすることで、両者の区別を明確にしているが、折曲げ部７３ｂと折曲げ部７３ｃとの曲率がほぼ同一であることにより、実質的に折曲げ部７３ｂと折曲げ部７３ｃとが1つの連続した弧となるものであってもよい）。本発明のＬＣＤ７０によれば、図７に示されるように、ピックアップ部１１ａの往復移動によって生じるＦＦＣ７３のたるみ部７３ａの動きが折曲げ部７３ｂと折曲げ部７３ｃとによって吸収されるため、接続部１２ａへの負荷が低減される。また、ＦＦＣ７３がバックキャビネット１７ｂの方へ膨出することがないため、ＦＦＣ７３がバックキャビネット１７ｂと接触することによる不具合を防止できると共に、ＬＣＤ７０を可及的に薄型化できる。さらに、本発明の実施に当たり特別な部材を一切必要としないため低コストである。
【００３８】
なお、ディスク装置１１の、側面部１１ｂとＦＦＣ７３がほぼ接している部分（図７の折曲げ部７３ｂ付近）に、フック等の係止具を形成し、ＦＦＣ７３を係止させるようにしてもよい。このような構成とすることで、接続部１２ａへの負荷がより低減される。
【実施例３】
【００３９】
図８は本実施例のディスク装置を内蔵した液晶表示装置のバックキャビネットを取り外した状態を示す斜視図、図９はディスク装置制御基板とディスク装置に備えられるピックアップ部とを接続するＦＦＣの取り回しを説明するための概略図であり、図８のＤ−Ｄ線から見た矢視図である。図９ａはディスク装置制御基板とピックアップ部とが最接近した状態の概略図、図９ｂは最も離れた状態の概略図である。なお、実施例１と同様の構成要素については実施例１と同一の符号を使用し、ここでの説明を省略する。
【００４０】
図８及び図９に示されるように、ＦＦＣ９３にはピックアップ部１１ａの移動距離を吸収するためのたるみ部９３ａが備えられており、且つ、たるみ部９３ａには、それぞれの湾曲方向が逆の方向に曲げられた折曲げ部９３ｂと折曲げ部９３ｃとが設けられることにより、ＦＦＣ９３は略Ｓ字状となる。ＦＦＣ９３は折曲げ部９３ｂ付近において、ディスク装置１１のフレームの側面部１１ｂに設けられたスリット１１ｂ２に挿通されることによって係止される。本発明のＬＣＤ９０によれば、図９に示されるように、ピックアップ部１１ａの往復移動によって生じるＦＦＣ９３のたるみ部９３ａの動きが、ディスク装置１１のフレームの側面部１１ｂ及び折曲げ部９３ｂと折曲げ部９３ｃとによって吸収されるため、接続部１２ａへの負荷が低減される。
【００４１】
なお、ＦＦＣ９３の形状を保持する係止保持部の別構造として、図１０に示されるようなフック１００をディスク装置１１のフレームの側面部１１ｂに設けることによって形成してもよい。このようにすることで、接続部１２ａへの負荷の低減という同一の効果が得られると共に、ＦＦＣ９３の取り付け作業の作業性が向上される。
【実施例４】
【００４２】
図１１はＦＦＣの形状を保持するためにディスク装置制御基板に備えられる係止具を示す図であり、図１１（ａ）は上面斜視図、（ｂ）は底面斜視図、（ｃ）はディスク装置制御基板とディスク装置に備えられるピックアップ部とを接続するＦＦＣの取り回しを説明するための概略図である。図１２はディスク装置を内蔵した液晶表示装置のバックキャビネットに外部から荷重が加えられた状態における装置内部の係止具やＦＦＣの状態を説明するための概略図である。なお、本実施例のディスク装置を内蔵した液晶表示装置の基本的構成は、係止具を除き実施例１と同様であるため、実施例１と同様の構成要素については実施例１と同一の符号を使用し、ここでの説明を省略する。
【００４３】
図１１（ａ）及び（ｂ）に示されるように、本実施例の係止具１７０は、実施例１に示した係止具４０の一部に、絞り加工によって凸部１７１を形成したものである。当該凸部１７１は、図１１（ｃ）に示されるように、ＬＣＤ１０に備えられた状態で、ディスク装置１１のフレームの側面部１１ｂの上端部（フレーム側面端部）に対向する位置であって、高さがＦＦＣ２３の厚みよりも高くなるように形成される。
【００４４】
図１２（ｂ）に示されるように、凸部が形成されていない係止具４０であると、ＬＣＤ１０のバックキャビネット１７ｂに外部から荷重Ｆが加えられることで、バックキャビネット１７ｂが装置の内部方向に撓むことにより、バックキャビネット１７ｂ内壁面側に形成された部材１７ｂ１が係止具４０と接触し、さらに係止具４０がフレーム側面部１１ｂの上端部に接触するように屈曲した場合に、ＦＦＣ２３が係止具４０とフレーム側面部１１ｂとの間に挟まれ、ピックアップ部１１ａの動作を阻害するおそれや、各部材に負荷（例えば、ピックアップ部１１ａの動作が阻害されることにより生じるピックアップ部１１ａを往復移動させるための機構への負荷など）を与えるおそれがある。これに対し、本実施例の係止具１７０の場合、図１２（ａ）に示されるように、係止具１７０に形成された凸部１７１とフレーム側面部１１ｂの上端部とが当接し、ＦＦＣ２３が係止具１７０とフレーム側面部１１ｂとの間で挟まれることが防止される。従って、ピックアップ部１１ａの動作へ悪影響を与えるといった問題や、ＦＦＣ２３と接続される各部材へ負荷を与えるといった問題や、ＦＦＣ２３自体が傷つけられるといった問題を防止することができる。
【実施例５】
【００４５】
図１３（ａ）は本実施例のディスク装置の上面斜視図、図１３（ｂ）はディスク装置制御基板とディスク装置に備えられるピックアップ部とを接続するＦＦＣの取り回しを説明するための概略図である。図１４はディスク装置を内蔵した液晶表示装置のバックキャビネットに外部から荷重が加えられた状態における装置内部の係止具やＦＦＣの状態を説明するための概略図である。なお、本実施例のディスク装置を内蔵した液晶表示装置の基本的構成は、実施例１と同様であるため、実施例１と同様の構成要素については実施例１と同一の符号を使用し、ここでの説明を省略する。
【００４６】
図１３（ａ）に示されるように、本実施例のディスク装置１３０には、フレーム側面部１３２の上端部（フレーム側面端部）に凸部１３１が形成される。当該凸部１３１は、ＬＣＤ１０に備えられた状態で、係止具４０に対向する位置であって、高さがＦＦＣ２３の厚みよりも高くなるように形成される。
【００４７】
図１４に示される（ａ：ディスク装置に凸部が形成されているもの、ｂ：ディスク装置に凸部が形成されていないもの）ように、本実施例によれば、フレーム側面部１３２の上端部に形成された凸部１３１と係止具４０とが当接し、ＦＦＣ２３が係止具４０とフレーム側面部１３２との間で挟まれることが防止される。従って、ピックアップ部１１ａの動作へ悪影響を与えるといった問題や、ＦＦＣ２３と接続される各部材へ負荷を与えるといった問題や、ＦＦＣ２３自体が傷つけられるといった問題を防止することができる。
【実施例６】
【００４８】
図１５はＦＦＣの形状を保持するためにディスク装置制御基板に備えられる係止具を示す図であり、図１５（ａ）は上面斜視図、（ｂ）及び（ｃ）はディスク装置を内蔵した液晶表示装置のバックキャビネットに外部から荷重が加えられた状態における装置内部の係止具やＦＦＣの状態を説明するための概略図である。なお、本実施例のディスク装置を内蔵した液晶表示装置の基本的構成は、係止具を除き実施例１と同様であるため、実施例１と同様の構成要素については実施例１と同一の符号を使用し、ここでの説明を省略する。
【００４９】
図１５（ａ）に示されるように、本実施例の係止具１５０は、実施例１に示した係止具４０の一部に、絞り加工によって凸部１５１を形成したものである。当該凸部１５１は、図１５（ｃ）に示されるように、ＬＣＤ１０に備えられた状態で、バックキャビネット１７ｂ内壁面側に形成された部材１７ｂ１（突出部）に対向する位置であって、高さがＦＦＣ２３の厚みよりも高くなるように形成される。
【００５０】
バックキャビネット１７ｂに外部から荷重Ｆが加えられることで、バックキャビネット１７ｂが装置の内部方向に撓み、バックキャビネット１７ｂ内壁面側に形成されている突出部と係止具とが当接するような場合に、突出部と係止具とが当接する位置が、ＦＦＣ２３が配設されている場所では無い場合には（例えば、図１５（ｂ）に示したＮの部分）、バックキャビネット１７ｂが装置の内部方向に撓むことによってＦＦＣ２３がバックキャビネット１７ｂ内壁面側に形成されている突出部と係止具との間に挟まれるという状態は生じにくいが、バックキャビネット１７ｂ内壁面側に形成されている突出部と係止具とが当接する位置が、ＦＦＣ２３が配設されている場所となる場合（例えば、突出部がキャビネット補強のためのリブであり、図１５（ｂ）に示される部材１７ｂ１のように、ＦＦＣ２３が配設される位置に重なってしまうような場合）には、ＦＦＣ２３がバックキャビネット１７ｂ内壁面側に形成されている突出部と係止具との間に挟まれてしまうおそれがある。これに対し、本実施例の係止具１５０の場合、図１５（ｂ）及び（ｃ）に示されるように、係止具１５０に形成された凸部１５１とバックキャビネット１７ｂ内壁面側に形成された部材１７ｂ１（突出部）とが当接し、ＦＦＣ２３が係止具１５０とバックキャビネット１７ｂとの間で挟まれることが防止される。従って、ＦＦＣ２３が傷つけられるといった問題を防止することができる（なお、ＦＦＣ２３が係止具１５０とバックキャビネット１７ｂとの間で挟まれたとしても、これによってピックアップ部１１ａの動作が悪影響を受けるということは生じ難いといえる）。
【００５１】
なお、本実施例では、凸部１５１を、バックキャビネット１７ｂ内壁面側と対向する側に形成するのみとしているが、これに加えてフレーム側面部１１ｂと対向する側に凸部（実施例４の凸部１７１）を形成する若しくはディスク装置のフレーム側面部１１ｂの上端部に凸部（実施例５の凸部１３１）を形成するようにしてもよい（係止具１５０が強度の高い部材で形成されていて、係止具１５０が屈曲するという状況（すなわちＦＦＣ２３が係止具１５０とフレーム側面部１１ｂとの間で挟まれる状況）を考慮する必要性が低いような場合には、不要である）。
【実施例７】
【００５２】
図１６（ａ）は本実施例のディスク装置の上面斜視図、図１６（ｂ）はディスク装置を内蔵した液晶表示装置のバックキャビネットに外部から荷重が加えられた状態における装置内部の係止具やＦＦＣの状態を説明するための概略図である。なお、本実施例のディスク装置を内蔵した液晶表示装置の基本的構成は、実施例１と同様であるため、実施例１と同様の構成要素については実施例１と同一の符号を使用し、ここでの説明を省略する。
【００５３】
図１６に示されるように、本実施例のディスク装置１６０には、フレーム側面部１６２の上端部（フレーム側面端部）に凸部１６１が形成される。当該凸部１６１は、ＬＣＤ１０に備えられた状態で、係止具４０と対向しない位置であって、高さが、バックキャビネット１７ｂの内壁面とフレーム側面部１６２の上端部との間に配設されるＦＦＣ２３の厚み（本実施例ではＦＦＣ２３の２本分の厚み）及び係止具４０の厚みよりも高くなるように形成される。
【００５４】
図１６（ｂ）に示されるように、本実施例によれば、フレーム側面部１６２の上端部に形成された凸部１６１と、バックキャビネット１７ｂ内壁面側若しくはバックキャビネット１７ｂ内壁面側に形成された部材１７ｂ１とが当接し、ＦＦＣ２３が係止具４０とフレーム側面部１６２との間で、若しくは係止具４０とバックキャビネット１７ｂとの間で挟まれることが防止される。従って、ピックアップ部１１ａの動作へ悪影響を与えるといった問題や、ＦＦＣ２３と接続される各部材へ負荷を与えるといった問題や、ＦＦＣ２３自体が傷つけられるといった問題を防止することができる。
【００５５】
なお、本実施例では凸部１６１をディスク装置のフレーム側面部１６２の上端部に形成するものとしたが、これと同様の効果を得るものとして、凸部１６１をバックキャビネット１７ｂ内壁面側に形成するようにしてもよい。
【００５６】
上記各実施例では電子装置の具体例として、ＬＣＤを用いて説明してきたが、本発明をこれに限るものではなく、ＤＶＤ再生／記録装置、ＣＤ再生／記録装置、ＭＤ再生／記録装置、ＬＤ再生／記録装置等、及びこれらの装置と表示装置等との複合機などであって、ディスク装置とディスク装置制御基板とが並列して配置される装置に適用することができる。
【図面の簡単な説明】
【００５７】
【図１】実施例１のディスク装置を内蔵した液晶表示装置の斜視図
【図２】実施例１のディスク装置を内蔵した液晶表示装置のバックキャビネットを取り外した状態を示す斜視図
【図３】実施例１のディスク装置を内蔵した液晶表示装置のバックキャビネットを取り外した状態を示す背面図
【図４】係止具を示す図、ａ：係止具４０の側面図、ｂ：正面図、ｃ：上面図、ｄ：斜視図
【図５】実施例１のＦＦＣの取り回しを説明するための概略図
【図６】実施例２のディスク装置を内蔵した液晶表示装置のバックキャビネットを取り外した状態を示す斜視図
【図７】実施例２のＦＦＣの取り回しを説明するための概略図
【図８】実施例３のディスク装置を内蔵した液晶表示装置のバックキャビネットを取り外した状態を示す斜視図
【図９】実施例３のＦＦＣの取り回しを説明するための概略図
【図１０】ＦＦＣの取り回しを説明するための概略図
【図１１】実施例４の係止具を示す図、（ａ）：上面斜視図、（ｂ）：底面斜視図、（ｃ）：ＦＦＣの取り回しを説明するための概略図
【図１２】キャビネット外部から荷重が加えられた状態における装置内部の係止具やＦＦＣの状態を説明するための概略図
【図１３】実施例５のディスク装置を示す図、（ａ）：上面斜視図、（ｂ）：ＦＦＣの取り回しを説明するための概略図
【図１４】キャビネット外部から荷重が加えられた状態における装置内部の係止具やＦＦＣの状態を説明するための概略図
【図１５】実施例６の係止具を示す図
【図１６】実施例７のディスク装置を示す図、（ａ）：上面斜視図、（ｂ）：キャビネット外部から荷重が加えられた状態における装置内部の係止具やＦＦＣの状態を説明するための概略図
【図１７】従来例のディスク装置を内蔵した液晶表示装置のＦＦＣの取り回しを説明するための概略図
【符号の説明】
【００５８】
１０・７０・９０  ディスク装置を内蔵した液晶表示装置（電子装置）
１１      ディスク装置
１１ａ    ピックアップ部
１１ｂ    フレーム側面部
１１ｂ２  スリット（係止保持部）
１２      ディスク装置制御基板
１２ａ    接続部
１７      筐体
１７ｂ    バックキャビネット
２０      ディスク媒体
２３・７３・９３  フレキシブルフラットケーブル
２３ａ・７３ａ・９３ａ  たるみ部
２３ｂ・７３ｂ・９３ｂ  折曲げ部
２３ｃ・７３ｃ・９３ｃ  折曲げ部
４０      係止具（係止保持部）
１００    フック（係止保持部）
１３１・１５１・１６１・１７１  凸部
【図１】
2006031910.tif 000003
【図２】
2006031910.tif 000004
【図３】
2006031910.tif 000005
【図４】
2006031910.tif 000006
【図５】
2006031910.tif 000007
【図６】
2006031910.tif 000008
【図７】
2006031910.tif 000009
【図８】
2006031910.tif 000010
【図９】
2006031910.tif 000011
【図１０】
2006031910.tif 000012
【図１１】
2006031910.tif 000013
【図１２】
2006031910.tif 000014
【図１３】
2006031910.tif 000015
【図１４】
2006031910.tif 000016
【図１５】
2006031910.tif 000017
【図１６】
2006031910.tif 000018
【図１７】
2006031910.tif 000019